(57)【特許請求の範囲】
【請求項１】
電柱（５1）から提供先宅（６1，６2）にドロップ光ファイバケーブル（２1，２2）を引き込む際に用いられるかつ該ドロップ光ファイバケーブルの支持線を固定する引留金具（９1，９2）を巻付グリップ（８1，８2）を介して取り付けるためのドロップ光ファイバケーブル引込線支持具（５０）を用いたドロップ光ファイバケーブル引込線支持方法であって、
前記ドロップ光ファイバケーブル引込線支持具（５０）が、棒状の本体部（５１）と、該本体部の一端に設けられた、かつ、前記電柱に使用される足場ボルト用の足場ボルト取付穴に螺合可能なボルト部（５２）と、前記本体部の他端に設けられた、かつ、前記巻付グリップを通すための貫通孔（５３ａ）を備えた巻付グリップ取付部（５３）とを備えており、
前記ドロップ光ファイバケーブル引込線支持方法が、
作業員が、地上から、前記ドロップ光ファイバケーブル引込線支持具と取り替える足場ボルト（１０3）の位置を確認する第１のステップと、
前記作業員が、前記電柱に取り付けられている他の足場ボルト（１０1，１０2）を足場として該電柱へ登って、前記ドロップ光ファイバケーブル引込線支持具と取り替える前記足場ボルトを該電柱から外す第２のステップと、
前記作業員が、前記外した足場ボルトが取り付けられていた前記電柱の足場ボルト取付穴に前記ドロップ光ファイバケーブル引込線支持具の前記ボルト部を螺合させていくことにより、該ドロップ光ファイバケーブル引込線支持具を前記電柱に取り付ける第３のステップと、
前記作業員が、前記巻付グリップを前記ドロップ光ファイバケーブル引込線支持具の前記巻付グリップ取付部の前記貫通孔に通して、前記引留金具を該ドロップ光ファイバケーブル引込線支持具に該巻付グリップを介して取り付ける第４のステップと、
前記作業員が、前記ドロップ光ファイバケーブルの支持線を前記引留金具に固定して、該ドロップ光ファイバケーブルを前記提供先宅に引き込む第５のステップと、
を具備することを特徴とする、ドロップ光ファイバケーブル引込線支持方法。
【発明の詳細な説明】
【技術分野】
【０００１】
本発明は、ドロップ光ファイバケーブル引込線支持具およびドロップ光ファイバケーブル引込線支持方法に関し、特に、加入者系光ファイバケーブルを提供先宅の支持点へ供給するのに好適なドロップ光ファイバケーブル引込線支持具およびドロップ光ファイバケーブル引込線支持方法に関する。
【背景技術】
【０００２】
図４に示すように、加入者系光ファイバケーブル１を第１および第２の提供先宅６1，６2の支持点へ供給する際には、第１および第２の提供先宅６1，６2に最も近い第１の電柱５1に取り付けられた引込用クロージャ４を用いて加入者系光ファイバケーブル１から第１および第２のドロップ光ファイバケーブル２1，２2を引き出したのちに、引き出した第１および第２のドロップ光ファイバケーブル２1，２2を第１および第２の提供先宅６1，６2にそれぞれ引き込んでいる。
【０００３】
このとき、第１の電柱５1に近い第１の提供先宅６1に第１のドロップ光ファイバケーブル２1を引き込む際には、図５に示すように、第１の電柱５1に第１の自在バンド７1を取り付け、第１の自在バンド７1に巻付グリップ８を介して引留金具９を取り付けて、引留金具９に第１のドロップ光ファイバケーブル２1の支持線を固定している。
【０００４】
また、第１および第２の電柱５1，５2間に位置する第２の提供先宅６2に第２のドロップ光ファイバケーブル２2を引き込む際には、図４に破線で示すように、第１および第２の電柱５1，５2間に敷設されている吊線３を使用して、第１および第２の電柱５1，５2間の途中から第２のドロップ光ファイバケーブル２2を引き込んでいる。
このとき、第２の提供先宅６2までの距離が長い場合には、必要な地上高を得るためにディップや既設の光ファイバケーブルルートの地上高を考慮して第２のドロップ光ファイバケーブル２2を第２の提供先宅６2に引き込んでいる。しかし、必要な地上高が得られない場合には、第２の提供先宅６2への加入者系光ファイバケーブルの提供を断念するケースもあるが、第２の提供先宅６2の近くに第３の電柱５3があるケースでは、図４に実線で示すように、第２の電柱５2から第３の電柱５3に第２のドロップ光ファイバケーブル２2を迂回させたのちに、上述した第１のドロップ光ファイバケーブル２1と同様にして第３の電柱５3から第２のドロップ光ファイバケーブル２2を第２の提供先宅６2に引き込んでいる。
【０００５】
さらに、引込用クロージャ４が取り付けられた第１の電柱５1の直下に位置する提供先宅（不図示）にドロップ光ファイバケーブルを引き込む場合には、第１および第２の電柱５1，５2間の途中からドロップ光ファイバケーブルをこの提供先宅に引き込んでいる。
【０００６】
なお、下記の特許文献１には、架空された光ファイバケーブルを各家庭に引き込むための高所作業を初めの１回だけにできる加入者引込線引込方法が開示されている。この加入者引込線引込方法によれば、架空ケーブルを初めの１回の高所作業で電柱上部において分岐させ、この分岐させた加入者引込用ケーブルを引き降ろし、電柱の地上付近に設置した配線接続函に接続する。一方、配線接続函の下部からは加入者引込線を導出し、支持線に巻き付ける。この支持線の中間部に引留具を取り付けたのち、この引留具が有するリング部に電柱上部に固定した吊架金具が有する下方に延びるガイドワイヤを通し、このガイドワイヤに沿って引留具を竿を用いて押し上げて吊架金具にリング部を引っ掛ける。こうして電柱上部に引き留めた加入者引込線をそこから近辺の加入者宅まで引き込む。
【特許文献１】特開２０００−９２６３７号公報
【発明の開示】
【発明が解決しようとする課題】
【０００７】
図５に示したように、第１および第２のドロップ光ファイバケーブル２1，２2を第１および第２の提供先宅６1，６2にそれぞれ引き込む際には、地上からの高さを確保したり障害物をかわしたりするために、その機能が現状に最も合った自在バンド（第１の自在バンド７1）を使用しているが、以下に示すような問題があった。
（１）自在バンドは、その構造から取付作業が繁雑である。
すなわち、支持物（たとえば、電柱）の長さや種類は多岐にわたっており、また、その構造はテーパ構造（先に行くほど狭くなる構造または円錐形の直径が上下で異なる構造）になっており、自在バンドを使用する際には、取付箇所の適用径に応じた形へ自在バンドを変化させる必要がある。そのため、作業員は、たとえば、次の取付手順に従って自在バンドを電柱に取り付けている。
（準備作業）
（ａ）電柱に物理的な自在バンド取付スペースがあるか判断する。
（ｂ）他の装柱金物（たとえば、腕金）との位置関係上、ドロップ光ファイバケーブルを引き込むことができるか判断する。
（ｃ）他の添架ケーブルとの離隔距離など、法的な制約をクリアできるか判断する。
（ｄ）自在バンド取付位置を確認して、その場所の径に合わせた自在バンド取付径を準備する。
（取付作業）
（ａ）２本ある太径ボルトのうちの一方を外す。
（ｂ）電柱（支持物）へ登る。
（ｃ）取付箇所に自在バンドをくぐらせ、外している太径ボルトを付ける。
（ｄ）自在バンドを確実に取り付けることができたかを判断する。
【０００８】
（２）自在バンドは電柱（支持物）を占有するスペースが大きい。
（ａ）既に同じ場所で自在バンドなどが組まれていると、自在バンドを取り付けるスペースを確保する作業が必要になる。
（ｂ）自在バンドを使用する場所は立地環境が似ているため、既に自在バンドを使用している箇所に自在バンドを使用する機会が多い。すなわち、地上からの高さを確保する場所や障害物をかわすために使用する箇所は、通信線の種類によらず同じ条件となることが多い。また、繁華街や市内などの混雑した場所では、そのスペース確保自体が困難である。
（ｃ）自在バンドを取り付けるスペースがなく高さが確保できない場合には、図４に示した第２のドロップ光ファイバケーブル２2のように、迂回路を形成して無駄に長いドロップ光ファイバケーブルを架設することになる。
（ｄ）自在バンドを取り付けるスペースがなく高さが確保できない場合には、新たに電柱（支持物）を建柱して架空工事をする。
（ｅ）自在バンドを取り付けるスペースがなく高さが確保できずかつ新たに電柱（支持物）を建柱できない場合には、架空工事ができない。
【０００９】
（３）自在バンドは４個のボルト（太径２個および細径２個）と４個の専用金物とから構成されており、使用する部品点数が多いので、コストおよび製造時間が必要である。
【００１０】
また、自在バンドには上述した（１）〜（３）のような問題があるが、過大設備にもかかわらず、光ファイバケーブルを支持するための仕様を満足するような代替品がない。
（ａ）光ファイバケーブルはメタルケーブルに比べて細径かつ軽量という性質を活かしていない。
（ｂ）支持するドロップ光ファイバケーブルの許容張力に対して自在バンドの破壊荷重Ｎ（ｋｇｆ）が過大である。
【００１１】
本発明の目的は、簡単な作業でドロップ光ファイバケーブルを提供先宅に引き込むことができるドロップ光ファイバケーブル引込線支持具およびドロップ光ファイバケーブル引込支持方法を提供することにある。
【課題を解決するための手段】
【００１３】
本発明のドロップ光ファイバケーブル引込支持方法は、電柱（５1）から提供先宅（６1，６2）にドロップ光ファイバケーブル（２1，２2）を引き込む際に用いられるかつ該ドロップ光ファイバケーブルの支持線を固定する引留金具（９1，９2）を巻付グリップ（８1，８2）を介して取り付けるためのドロップ光ファイバケーブル引込線支持具（５０）を用いたドロップ光ファイバケーブル引込線支持方法であって、前記ドロップ光ファイバケーブル引込線支持具（５０）が、棒状の本体部（５１）と、該本体部の一端に設けられた、かつ、前記電柱に使用される足場ボルト用の足場ボルト取付穴に螺合可能なボルト部（５２）と、前記本体部の他端に設けられた、かつ、前記巻付グリップを通すための貫通孔（５３ａ）を備えた巻付グリップ取付部（５３）とを備えており、前記ドロップ光ファイバケーブル引込線支持方法が、作業員が、地上から、前記ドロップ光ファイバケーブル引込線支持具と取り替える足場ボルト（１０3）の位置を確認する第１のステップと、前記作業員が、前記電柱に取り付けられている他の足場ボルト（１０1，１０2）を足場として該電柱へ登って、前記ドロップ光ファイバケーブル引込線支持具と取り替える前記足場ボルトを該電柱から外す第２のステップと、前記作業員が、前記外した足場ボルトが取り付けられていた前記電柱の足場ボルト取付穴に前記ドロップ光ファイバケーブル引込線支持具の前記ボルト部を螺合させていくことにより、該ドロップ光ファイバケーブル引込線支持具を前記電柱に取り付ける第３のステップと、前記作業員が、前記巻付グリップを前記ドロップ光ファイバケーブル引込線支持具の前記巻付グリップ取付部の前記貫通孔に通して、前記引留金具を該ドロップ光ファイバケーブル引込線支持具に該巻付グリップを介して取り付ける第４のステップと、前記作業員が、前記ドロップ光ファイバケーブルの支持線を前記引留金具に固定して、該ドロップ光ファイバケーブルを前記提供先宅に引き込む第５のステップとを具備することを特徴とする。
【発明の効果】
【００１４】
本発明のドロップ光ファイバケーブル引込線支持具およびドロップ光ファイバケーブル引込支持方法は、電柱に設けられている足場ボルト取付穴にドロップ光ファイバケーブル引込線支持具のボルト部を螺合させるだけで電柱に取り付けることができるので、簡単な作業でドロップ光ファイバケーブルを提供先宅に引き込むことができるという効果を奏する。
【発明を実施するための最良の形態】
【００１５】
簡単な作業でドロップ光ファイバケーブルを提供先宅に引き込むという目的を、自在バンドの代わりに、電柱に使用される足場ボルト用の足場ボルト取付穴に螺合可能なボルト部と貫通孔を備えた巻付グリップ取付部とが本体部の両端にそれぞれ設けられたドロップ光ファイバケーブル引込線支持具を使用することにより実現した。
【実施例１】
【００１６】
以下、本発明のドロップ光ファイバケーブル引込線支持具およびドロップ光ファイバケーブル引込支持方法の実施例について、図面を参照して説明する。
本発明の一実施例によるドロップ光ファイバケーブル引込線支持具５０（以下、「引込線支持具５０」と称する。）は、図１に示すように、棒状の本体部５１と、本体部５１の一端に設けられたボルト部５２と、本体部５１の他端に設けられた巻付グリップ取付部５３とを具備する。
【００１７】
本体部５１およびボルト部５２は、円柱状の形状を有し、電柱用の足場ボルトと同じ径とされている。また、本体部５１およびボルト部５２は、電柱用の足場ボルトと同じ曲げ強度および引抜き強度を有する。さらに、電柱に設けられている足場ボルト用の足場ボルト取付穴にボルト部５２が螺合可能となるように、足場ボルト取付穴に形成された雌ねじと対応する雄ねじがボルト部５２に形成されている。
これにより、引込線支持具５０のボルト部５２を足場ボルト取付穴に螺合させて引込線支持具５０を電柱に取り付けることにより、引込線支持具５０が取り付けられた電柱の位置よりも高い位置に作業者が登る際の足場としても、引込線支持具５０を使用することができる。
【００１８】
巻付グリップ取付部５３は、図１（ｃ）に示すように、通常の足場ボルトのような六角柱形状を有する。また、巻付グリップ取付部５３には、図１（ｂ）に示すように、貫通孔５３ａが形成されている。
これにより、巻付グリップ取付部５３の貫通孔５３ａに巻付グリップを取り付ければ、後述するようにドロップ光ファイバケーブルを引込線支持具５０で支持して提供先宅に引込むことができる。
なお、巻付グリップ取付部５３の形状は、六角柱形状に限らず、たとえば円柱形状などであってもよい。
【００１９】
次に、図１に示した引込線支持具５０を使用したドロップ光ファイバケーブル引込線支持方法（本発明の一実施例によるドロップ光ファイバケーブル引込線支持方法）について、図４に示した第１および第２の提供先宅６1，６2に第１および第２のドロップ光ファイバケーブル２1，２2をそれぞれ引き込む場合を例として、図２および図３を参照して説明する。
【００２０】
作業員は、地上から、引込線支持具５０と取り替える第３の足場ボルト１０3（不図示）の位置を確認する。
続いて、作業員は、第１の電柱５1に取り付けられている足場ボルト（図３に示す第１および第２の足場ボルト１０1，１０2など）を足場として第１の電柱５1へ登って、引込線支持具５０と取り替える第３の足場ボルト１０3を第１の電柱５1から外す。
【００２１】
続いて、作業員は、外した第３の足場ボルト１０3が取り付けられていた第１の電柱５1の足場ボルト取付穴に引込線支持具５０のボルト部５２を螺合させていくことにより、引込線支持具５０を第１の電柱５1に取り付ける。その後、作業員は、引込線支持具５０が確実に取り付けられたか確認する。
【００２２】
続いて、作業員は、図３に示すように、第１および第２の巻付グリップ８1，８2を引込線支持具５０の巻付グリップ取付部５３の貫通孔５３ａに通すことにより、第１および第２の引留金具９1，９2を引込線支持具５０に第１および第２の巻付グリップ８1，８2を介して取り付ける。
【００２３】
続いて、作業員は、加入者系光ファイバケーブル１（図４参照）から引込用クロージャ４によって引き出された第１および第２のドロップ光ファイバケーブル２1，２2の支持線を第１および第２の引留金具９1，９2にそれぞれ固定することにより、第１および第２のドロップ光ファイバケーブル２1，２2を第１および第２の提供先宅６1，６2にそれぞれ引き込む。
【００２４】
これにより、図４に示した場合と比べて、第２のドロップ光ファイバケーブル２2を高い位置から第２の提供先宅６2に引き込むことができるので、第２のドロップ光ファイバケーブル２2の地上高を確保することができる。
【００２５】
以上説明したように、引込線支持具５０を使用することにより、以下に示す効果が得られる。
（１）取付作業時間を短縮できる。
（ａ）電柱（支持物）には必ず足場があるため、自在バンドを用いる場合と違って、取り付ける箇所があるかどうかの判断が必要なくなる。
（ｂ）足場ボルトの径は電柱の高さや種類にかかわらず同じであるため、自在バンドのように取付箇所の径を考える必要がなくなる。
（ｃ）足場ボルトは電柱に一定の高さおきに取り付けられているため、必要な高さを確保する位置を考慮しやすくなる。
（ｄ）足場ボルトと引込線支持具５０との取替作業が必要である場合には、足場ボルトを撤去したのちに引込線支持具５０を取り付ければよいので、この取替作業も簡単である。
【００２６】
（２）電柱（支持物）のスペースを有効活用できる。
（ａ）電柱（支持物）の占有スペースに対する効果が大きい。
すなわち、自在バンドに比べて取付幅を小さくすることができるため、他の設備の支障になることが少なくなる。また、自在バンドの取付が不可能なために迂回路を形成する必要がなくなる。さらに、電柱に取り付けられている設備が多くて、足場として使用できない箇所も使用できるようになる（自在バンドや金物が取り付けられている付近の足場は足場本来の使用ができなくなっていることがあるが、その足場を別の目的で有効に活用できる。）。
（ｂ）引込線支持具５０の構造が簡単であるため、電線や通信線にも使用できる。
【００２７】
（３）コストを削減できる。
（ａ）自在バンドを取り付けることができずに迂回路を形成した場合に比べて、無駄にドロップ光ファイバケーブルを架設する必要がなくなる。また、ドロップ光ファイバケーブルの提供経路を短縮できるため、共架申請や道路占用申請などに関して申請先やその回数が少なくて済むので、手間やコストを削減できる。さらに、ドロップ光ファイバケーブルの提供時間を短縮できるので、コストを削減できる。
（ｂ）自在バンドの部品点数が１２個であるのに対して、引込線支持具５０の部品点数は１個であるので、製造コストを削減できる。
【００２８】
（４）取付品質を安定化することができる。
すなわち、引込線支持具５０の構造が簡単なため取付技術に熟練を必要としない（引込線支持具５０のボルト部５１をしっかり固定できるまで回すだけである）ので、引込線支持具５０の取付品質が安定する。
【００２９】
（５）伝送品質を向上できる。
すなわち、ドロップ光ファイバケーブルの長さを短くすることができるので、伝送品質を向上させることができる。また、電線であっても電圧降下を抑えることができるので、供給電圧の品質を向上させることができる。
【産業上の利用可能性】
【００３０】
以上説明したように、本発明のドロップ光ファイバケーブル引込線支持具およびドロップ光ファイバケーブル引込線支持方法は、たとえば、加入者系光ファイバケーブルを提供先宅の支持点へ供給するのに利用することができる。
【図面の簡単な説明】
【００３１】
【図１】本発明の一実施例によるドロップ光ファイバケーブル引込線支持具５０の構成を示す図である。
【図２】図１に示した引込線支持具５０を使用したドロップ光ファイバケーブル引込線支持方法を説明するための図である。
【図３】図１に示した引込線支持具５０を使用したドロップ光ファイバケーブル引込線支持方法を説明するための図である。
【図４】従来のドロップ光ファイバケーブル引込線支持方法を説明するための図である。
【図５】従来のドロップ光ファイバケーブル引込線支持方法を説明するための図である。
【符号の説明】
【００３２】
１  加入者系光ファイバケーブル
２1，２2  第１および第２のドロップ光ファイバケーブル
３  吊線
４  引込用クロージャ
５1〜５3  第１乃至第３の電柱
６1，６2  第１および第２の提供先宅
７1，７2  第１および第２の自在バンド
８  巻付グリップ
８1，８2  第１および第２の巻付グリップ
９  引留金具
９1，９2  第１および第２の引留金具
１０1〜１０3  第１乃至第３の足場ボルト
５０  引込線支持具
５１  本体部
５２  ボルト部
５３  巻付グリップ取付部
５３ａ  貫通孔
【図１】
0004553204.tif 000002
【図２】
0004553204.tif 000003
【図３】
0004553204.tif 000004
【図４】
0004553204.tif 000005
【図５】
0004553204.tif 000006